(57)【要約】【課題】無線基地局から送信される報知情報を簡素化する。【解決手段】複数の無線基地局１０１−１〜１０１−７から、それぞれ無線基地局１０１−１〜１０１−７固有の情報が報知情報として同報送信され、無線基地局１０１−１〜１０１−７に接続可能に構成された移動端末１０２にて複数の無線基地局１０１−１〜１０１−７からそれぞれ同報送信された報知情報の受信状態に基づいて、複数の無線基地局１０１−１〜１０１−７のうち１つの無線基地局が選択される。【選択図】図１
2008172584.tif 000002
【特許請求の範囲】
【請求項１】
移動端末と、該移動端末と接続可能に構成された複数の無線基地局とを有してなる移動通信システムにおいて、
前記無線基地局は、当該無線基地局固有の情報を報知情報として同報送信し、
前記移動端末は、前記複数の無線基地局からそれぞれ同報送信された報知情報の受信状態に基づいて、前記複数の無線基地局のうち１つの無線基地局を選択することを特徴とする移動通信システム。
【請求項２】
請求項１に記載の移動通信システムにおいて、
前記無線基地局は、前記報知情報を予め設定された周期で定期的に同報送信することを特徴とする移動通信システム。
【請求項３】
請求項１または請求項２に記載の移動通信システムにおいて、
前記移動端末は、前記受信状態を前記複数の無線基地局へ通知することを特徴とする移動通信システム。
【請求項４】
請求項１乃至３のいずれか１項に記載の移動通信システムにおいて、
前記移動端末は、前記複数の無線基地局からそれぞれ同報送信された報知情報の受信電界強度に基づいて、前記複数の無線基地局のうち１つの無線基地局を選択することを特徴とする移動通信システム。
【請求項５】
請求項１乃至３のいずれか１項に記載の移動通信システムにおいて、
前記移動端末は、前記受信状態のうち、最も良い受信状態である報知情報を同報送信した無線基地局を選択することを特徴とする移動通信システム。
【請求項６】
移動端末と、該移動端末と接続可能に構成された複数の無線基地局とを有してなる移動通信システムにおける無線基地局選択方法であって、
前記無線基地局が、当該無線基地局固有の情報を報知情報として同報送信する処理と、
前記移動端末が、前記複数の無線基地局からそれぞれ同報送信された報知情報の受信状態を測定する処理と、
前記移動端末が、前記測定された受信状態に基づいて、前記複数の無線基地局のうち１つの無線基地局を選択する処理とを有する無線基地局選択方法。
【請求項７】
請求項６に記載の無線基地局選択方法において、
前記無線基地局が、前記報知情報を予め設定された周期で定期的に同報送信する処理を有することを特徴とする無線基地局選択方法。
【請求項８】
請求項６または請求項７に記載の無線基地局選択方法において、
前記移動端末が、前記受信状態を前記複数の無線基地局へ通知する処理を有することを特徴とする無線基地局選択方法。
【請求項９】
請求項６乃至８のいずれか１項に記載の無線基地局選択方法において、
前記移動端末が、前記複数の無線基地局からそれぞれ同報送信された報知情報の受信電界強度を測定する処理と、
前記移動端末が、前記測定された受信電界強度に基づいて、前記複数の無線基地局のうち１つの無線基地局を選択する処理を有することを特徴とする無線基地局選択方法。
【請求項１０】
請求項６乃至８のいずれか１項に記載の無線基地局選択方法において、
前記移動端末が、前記測定された受信状態のうち、最も良い受信状態である報知情報を同報送信した無線基地局を選択する処理を有することを特徴とする無線基地局選択方法。
【発明の詳細な説明】
【技術分野】
【０００１】
本発明は、移動端末が複数の無線基地局のうち１つの無線基地局を選択するための移動通信システム及びこれにおける無線基地局選択方法に関する。
【背景技術】
【０００２】
一般的な移動通信システムにおいては、利用者が所持する移動端末が１つの無線基地局がカバーするセルから出てしまった場合であっても、当該セルに隣接するセルをカバーする他の無線基地局を設けることにより、その無線基地局との通信が可能となっている。
【０００３】
図６は、従来の移動通信システムの一例を示す図である。
【０００４】
図６に示した移動通信システムは、移動端末９０２と、移動端末９０２と通信を行う移動通信網９０４とから構成されている。さらに、移動通信網９０４には、複数の無線基地局９０１−１〜９０１−７が設けられている。
【０００５】
移動端末９０２は、無線基地局９０１−１〜９０１−７との間にて通信可能な端末であり、無線技術を用いた通信手段を備えているため、自在に移動しながらの通信が可能である。
【０００６】
無線基地局９０１−１〜９０１−７は、移動端末１０２との間にて通信可能な無線基地局であり、図６に示すように無線基地局９０１−１〜９０１−７がカバーするセル９０３−１〜９０３−７が互いに隣接するように配置されている。
【０００７】
移動通信網９０４の運用者は、各無線基地局９０１−１〜９０１−７の無線環境を考慮して報知情報をそれぞれ設定している。そして、設定された報知情報が無線基地局９０１−１〜９０１−７からそれぞれ同報送信（ブロードキャスト）される。
【０００８】
同報送信された報知情報が移動端末９０２にて受信されると、移動端末９０２にて受信された報知情報に基づいて通信を行う無線基地局が選択される。
【０００９】
図７は、図６に示した無線基地局９０１−１から同報送信される報知情報の構成例を示す図である。
【００１０】
図７に示した報知情報は、無線基地局９０１−１の固有の情報と、無線基地局９０１−１の隣接無線基地局である無線基地局９０１−２〜９０１−７のそれぞれの固有の情報とから構成されている。ここで、固有の情報とは、無線基地局９０１−１〜９０１−７にそれぞれ付与された固有の識別情報（ＩＤ）や制御情報といった従来の同報送信される情報である。
【００１１】
また、無線基地局にて移動端末から隣接セル情報が収集されて管理され、収集された隣接セル情報が移動端末へ提供されることにより、移動端末にて提供された隣接セル情報に基づいて無線基地局が選択される技術が考えられている（例えば、特許文献１参照。）。
【特許文献１】特開２００３−２５９４３３号公報
【発明の開示】
【発明が解決しようとする課題】
【００１２】
しかしながら、上述したような従来の技術においては、移動端末が接続する無線基地局を切り替えるために必要な情報として、無線基地局に隣接する無線基地局（セル）の情報を設定し、当該無線基地局に関わる情報以外に、隣接する無線基地局に関わる情報についても移動端末に送信しなければならないという問題点がある。
【００１３】
本発明は、上述したような従来に技術が有する問題点に鑑みてなされたものであって、無線基地局から送信される報知情報を簡素化することができる移動通信システム及びこれを用いた無線基地局選択方法を提供することを目的とする。
【課題を解決するための手段】
【００１４】
上記目的を達成するために本発明は、
移動端末と、該移動端末と接続可能に構成された複数の無線基地局とを有してなる移動通信システムにおいて、
前記無線基地局は、当該無線基地局固有の情報を報知情報として同報送信し、
前記移動端末は、前記複数の無線基地局からそれぞれ同報送信された報知情報の受信状態に基づいて、前記複数の無線基地局のうち１つの無線基地局を選択することを特徴とする。
【００１５】
また、前記無線基地局は、前記報知情報を予め設定された周期で定期的に同報送信することを特徴とする。
【００１６】
また、前記移動端末は、前記受信状態を前記複数の無線基地局へ通知することを特徴とする。
【００１７】
また、前記移動端末は、前記複数の無線基地局からそれぞれ同報送信された報知情報の受信電界強度に基づいて、前記複数の無線基地局のうち１つの無線基地局を選択することを特徴とする。
【００１８】
また、前記移動端末は、前記受信状態のうち、最も良い受信状態である報知情報を同報送信した無線基地局を選択することを特徴とする。
【００１９】
また、移動端末と、該移動端末と接続可能に構成された複数の無線基地局とを有してなる移動通信システムにおける無線基地局選択方法であって、
前記無線基地局が、当該無線基地局固有の情報を報知情報として同報送信する処理と、
前記移動端末が、前記複数の無線基地局からそれぞれ同報送信された報知情報の受信状態を測定する処理と、
前記移動端末が、前記測定された受信状態に基づいて、前記複数の無線基地局のうち１つの無線基地局を選択する処理とを有する。
【００２０】
また、前記無線基地局が、前記報知情報を予め設定された周期で定期的に同報送信する処理を有することを特徴とする。
【００２１】
また、前記移動端末が、前記受信状態を前記複数の無線基地局へ通知する処理を有することを特徴とする。
【００２２】
また、前記移動端末が、前記複数の無線基地局からそれぞれ同報送信された報知情報の受信電界強度を測定する処理と、
前記移動端末が、前記測定された受信電界強度に基づいて、前記複数の無線基地局のうち１つの無線基地局を選択する処理を有することを特徴とする。
【００２３】
また、前記移動端末が、前記測定された受信状態のうち、最も良い受信状態である報知情報を同報送信した無線基地局を選択する処理を有することを特徴とする。
【００２４】
上記のように構成された本発明においては、複数の無線基地局から、それぞれ無線基地局固有の情報が報知情報として同報送信され、無線基地局に接続可能に構成された移動端末にて複数の無線基地局からそれぞれ同報送信された報知情報の受信状態に基づいて、複数の無線基地局のうち１つの無線基地局が選択される。
【００２５】
これにより、移動端末における無線基地局選択のための情報として、隣接した他の無線基地局固有の情報の移動端末への送信が不要となる。
【発明の効果】
【００２６】
以上説明したように本発明においては、複数の無線基地局から、それぞれ無線基地局固有の情報を報知情報として同報送信し、無線基地局に接続可能に構成された移動端末にて複数の無線基地局からそれぞれ同報送信された報知情報の受信状態に基づいて、複数の無線基地局のうち１つの無線基地局を選択する構成としたため、無線基地局から送信される報知情報を簡素化することができる。
【発明を実施するための最良の形態】
【００２７】
以下に、本発明の実施の形態について図面を参照して説明する。
【００２８】
図１は、本発明の移動通信システムの実施の一形態を示す図である。
【００２９】
本形態は図１に示すように、移動端末１０２と、移動端末１０２と通信を行う移動通信網１０４とから構成されている。さらに、移動通信網１０４には、複数の無線基地局１０１−１〜１０１−７が設けられている。
【００３０】
移動端末１０２は、無線基地局１０１−１〜１０１−７との間にて通信可能な端末であり、無線技術を用いた通信手段を備えているため、自在に移動しながらの通信が可能である。
【００３１】
無線基地局１０１−１〜１０１−７は、移動端末１０２との間にて通信可能な無線基地局であり、図１に示すように無線基地局１０１−１〜１０１−７がカバーするセル１０３−１〜１０３−７が互いに隣接するように配置されている。なお、ここでは無線基地局の数を７つで示しているが、その数については規定しない。また、無線基地局１０１−１〜１０１−７から予め設定された周期で定期的に報知情報が移動端末１０２へ同報送信されている。この同報送信は、ブロードキャストチャネル（ＢＣＨ）を用いるものであっても良いし、他の制御チャネルを用いるものであっても良い。
【００３２】
図２は、図１に示した無線基地局１０１−１から同報送信される無線基地局１０１−１の報知情報の一構成例を示す図である。
【００３３】
図２に示した報知情報には、無線基地局１０１−１の固有の情報が含まれている。ここで、固有の情報とは、無線基地局１０１−１に付与された固有の識別情報（ＩＤ）や制御情報といった従来の同報送信される情報である。また、この報知情報には、従来含まれていた隣接無線基地局の固有の情報は含まれない。
【００３４】
また、無線基地局１０１−２〜１０１−７から同報送信される報知情報も無線基地局１０１−１から同報送信される報知情報と同様に、無線基地局１０１−２〜１０１−７の固有の情報がそれぞれ含まれている。
【００３５】
図３は、図１に示した移動端末１０２の一構成例を示す図である。
【００３６】
図１に示した移動端末１０２には図３に示すように、受信部２０１と、受信状態測定部２０２と、無線基地局選択部２０３と、送信部２０４とが設けられている。
【００３７】
受信部２０１は、無線基地局１０１−１〜１０１−７から同報送信された報知情報を受信する。
【００３８】
受信状態測定部２０２は、受信部２０１にて受信された報知情報の受信状態を測定する。例えば、報知情報が受信された際のその受信電界強度が測定されるといった、信号の受信レベルが測定されるものであっても良い。
【００３９】
無線基地局選択部２０３は、受信状態測定部２０２にて測定された受信状態に基づいて、無線基地局１０１−１〜１０１−７のうち１つの無線基地局を選択する。ここで選択された無線基地局と移動端末１０２との間において通信が行われることとなる。
【００４０】
送信部２０４は、受信状態測定部２０２にて測定された受信状態を無線基地局１０１−１〜１０１−７へ通知する。
【００４１】
なお、図３には、移動端末１０２を構成する構成要素のうち、本発明に関わる構成要素のみを示した。
【００４２】
以下に、図１に示した移動通信システムにおける無線基地局選択方法について説明する。
【００４３】
図４は、図１に示した移動端末１０２における無線基地局選択方法を説明するためのフローチャートである。ここでは図１に示すように、移動端末１０２が無線基地局１０１−１がカバーするセル１０３−１内に存在する場合を例に挙げて説明する。
【００４４】
図２を用いて説明した報知情報が、無線基地局１０１−１〜１０１−７から予め設定された周期で定期的に同報送信される。このとき、報知情報の同報送信に用いる無線チャネルの情報である無線チャネル情報についても送信される。
【００４５】
無線基地局１０１−１〜１０１−７から同報送信された報知情報のうち、移動端末１０２にて受信可能な報知情報が移動端末１０２の受信部２０１にて受信される（ステップＳ１）。
【００４６】
そして、受信部２０１にて受信された報知情報の受信状態が、受信状態測定部２０２にて測定される（ステップＳ２）。この受信状態の測定は上述したように、報知情報の受信電界強度の測定等の信号の受信レベルの測定が考えられる。その測定方法については、ここでは特に規定しない。
【００４７】
図５は、無線基地局１０１−１〜１０１−７からそれぞれ送信された報知情報が移動端末１０２にて受信された場合の報知情報の受信の様子を模式化した図である。ここでは説明の便宜上、無線基地局１０１−１〜１０１−７からそれぞれ送信された報知情報すべてが移動端末１０２にて受信された場合の報知情報の受信の様子を示している。
【００４８】
図５に示すように、受信可能な報知情報をサーチするために、受信する無線チャネルを切り替えながら無線基地局１０１−１〜１０１−７から送信された報知情報が順次受信される。報知情報が受信部２０１にて受信されると、その受信状態が受信状態測定部２０２にてそれぞれ測定される。
【００４９】
なお、受信状態測定部２０２にて測定された無線基地局１０１−１〜１０１−７の受信状態が移動端末１０２に設けられた記憶部（不図示）に保持されるものであっても良い。
【００５０】
受信状態測定部２０２にてそれぞれの受信状態が測定されると、測定された受信状態に基づいて通信を行う無線基地局１つが無線基地局選択部２０３にて選択される（ステップＳ３）。例えば、測定された受信状態のうち最も良い受信状態である報知情報を同報送信した無線基地局が選択される。これにより、移動端末１０２における無線チャネルへの切り替え先が決定される。
【００５１】
そして、通信可能な受信状態の無線基地局の情報が、移動端末１０２の送信部２０４から移動通信網１０４へ通知される（ステップＳ４）。
【００５２】
これにより、移動端末１０２にて通信を行う無線基地局１０１−１〜１０１−７を選択するために、無線基地局１０１−１〜１０１−７それぞれから固有の情報が含まれた報知情報が移動端末１０２へ送信される。そして、それぞれの報知情報の受信状態に基づいて無線基地局が選択される。そのため、無線基地局１０１−１〜１０１−７からそれぞれに隣接した無線基地局固有の情報を移動端末１０２へ送信する必要はない。つまり、無線基地局１０１−１〜１０１−７にて、隣接する無線基地局の情報の管理及び設定が不要となる。また、移動通信網１０４を運用するオペレータは、無線基地局１０１−１〜１０１−７毎に設定していた隣接する無線基地局情報を設定することなく、移動通信網１０４を運用することができる。
【図面の簡単な説明】
【００５３】
【図１】本発明の移動通信システムの実施の一形態を示す図である。
【図２】図１に示した無線基地局から同報送信される無線基地局の報知情報の一構成例を示す図である。
【図３】図１に示した移動端末の一構成例を示す図である。
【図４】図１に示した移動端末における無線基地局選択方法を説明するためのフローチャートである。
【図５】無線基地局からそれぞれ送信された報知情報が移動端末にて受信された場合の報知情報の受信の様子を模式化した図である。
【図６】従来の移動通信システムの一例を示す図である。
【図７】図６に示した無線基地局から同報送信される報知情報の構成例を示す図である。
【符号の説明】
【００５４】
１０１−１〜１０１−７    無線基地局
１０２    移動端末
１０３−１〜１０３−７    セル
１０４    移動通信網
２０１    受信部
２０２    受信状態測定部
２０３    無線基地局選択部
２０４    送信部
【図１】
2008172584.tif 000003
【図２】
2008172584.tif 000004
【図３】
2008172584.tif 000005
【図４】
2008172584.tif 000006
【図５】
2008172584.tif 000007
【図６】
2008172584.tif 000008
【図７】
2008172584.tif 000009